【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
外部からの操作に基づくトリガに応じて、自動演奏のための楽曲データに従った自動演奏を実行する自動演奏装置であって、
本体部と、
前記本体部と接触した状態で摺り動かされる摺動操作部材と、を備え、
前記本体部は、
前記摺動操作部材の摺動速さを計測する速さ計測手段と、
前記摺動操作部材の摺動方向を検出する方向検出手段と、
前記摺動操作部材の摺動速さが、第１の予め定められた閾値を超えた場合であって、かつ、前記摺動操作部材の摺動方向が変化した場合に、自動演奏に対するトリガを発生するトリガ発生手段と、を含む自動演奏装置。
【請求項２】
前記本体部は、
前記摺動操作部材の摺動速さが、第２の予め定められた閾値を下回った場合に、最新のトリガによる発音の終了処理を行い、あるいは、新たなトリガが発生した場合に、前回のトリガによる発音の終了処理を行う発音終了手段をさらに含む請求項１記載の自動演奏装置。
【請求項３】
前記本体部は、
前記摺動操作部材が通過する位置に設けられ、光ビームを発射する発光手段と、
前記摺動操作部材が通過する位置に設けられ、前記発光手段が発射した光ビームを受光する第１の受光手段と、
前記摺動操作部材が通過する位置に設けられ、前記発光手段が発射した光ビームを受光する第２の受光手段と、をさらに含み、
前記摺動操作部材は、前記受光手段に入射する光ビームの光量を変化させる光量変化部、を含み、
前記第１の受光手段と前記第２の受光手段とは、前記摺動操作部材の摺動方向に沿って配置され、
前記速さ計測手段は、前記光量変化部による光ビームの光量変化に応じて前記第１の受光手段が出力する電気信号および前記第２の受光手段が出力する電気信号のうちの１つ又は双方に基づいて、摺動速さの計測を行い、
前記方向検出手段は、前記光量変化部による光ビームの光量変化に応じて前記第１の受光手段及び前記第２の受光手段が出力する電気信号に基づいて、摺動方向の検出を行う、請求項１又は２記載の自動演奏装置。
【請求項４】
自動演奏される楽曲は、２種類以上の旋律で構成され、少なくとも１種類以上の旋律について、前記トリガ発生手段によるトリガに応じて、楽曲演奏が制御される、請求項１から３のいずれかに記載の自動演奏装置。
【請求項５】
前記本体部は、
自動演奏の状態及び操作ガイドを表す画像信号を生成して、前記本体部と別個に設けられるテレビジョンモニタに供給する画像生成手段、をさらに含み、 
前記自動演奏の状態は、オブジェクトの移動あるいは色の変化を用いて表現され、前記操作ガイドは、オブジェクトの移動及び色の変化を用いて表現される、請求項１から４のいずれかに記載の自動演奏装置。
【請求項６】
前記本体部は、新たなトリガに応じた発音のための発音チャンネルを、前回のトリガに応じた発音のための発音チャンネルと異ならせる発音チャンネル制御手段、をさらに含む請求項１から５のいずれかに記載の自動演奏装置。
【請求項７】
前記本体部は、自動演奏のための楽曲データ及び画像生成を行うための画像データを格納したメディアを装着するメディア装着手段、をさらに含む請求項１から６のいずれかに記載の自動演奏装置。
【請求項８】
前記本体部は、
断面視において、中央部が最頂部となり両端部に向かって傾斜する形状の接触部と、
前記接触部を挟むように、所定間隔で起立して設けられる２つのガイド部と、を含み、
前記発光手段、前記第１の受光手段、及び、前記第２の受光手段は、前記摺動操作部材が接触する前記接触部の内面側に配置される、請求項３記載の自動演奏装置。
【請求項９】
前記本体部には、第１の光ファイバの一方端が、前記接触部の内面側にくるように、他方端が、前記第１の受光手段の受光部側にくるように、固定され、かつ、第２の光ファイバの一方端が、前記接触部の内面側にくるように、一方端が、前記第２の受光手段の受光部側にくるように、固定される、請求項８記載の自動演奏装置。
【請求項１０】
前記摺動操作部材の底面には、その長さ方向に２つのスペーサが平行に形成され、
前記光量変化部は、前記摺動操作部材の底面であって、２つの前記スペーサの間に形成される、請求項８又は９記載の自動演奏装置。
【請求項１１】
前記本体部は、他の自動演奏装置の第１の受光手段からの電気信号が与えられる第１の信号線、及び、前記他の自動演奏装置の第２の受光手段からの電気信号が与えられる第２の信号線、を含むケーブルが接続されるコネクタ、をさらに含む請求項３記載の自動演奏装置。
【請求項１２】
前記本体部は、前記本体部に電源電圧を供給し、かつ、電源電圧を供給する電源線をさらに含む前記ケーブルを介して、前記他の自動演奏装置の本体部に電源電圧を供給する電源電圧供給手段、をさらに含む請求項１１記載の自動演奏装置。
【請求項１３】
前記本体部は、
前記摺動操作部材の摺動速さに応じて、自動演奏される楽曲の音量を制御する音量制御手段をさらに含む請求項１から１２のいずれかに記載の自動演奏装置。
【請求項１４】
外部からの操作に基づくトリガに応じて、自動演奏のための楽曲データに従った自動演奏を実行する自動演奏装置であって、
本体部と、
前記本体部と接触した状態で摺り動かされる摺動操作部材と、を備え、
前記本体部は、
前記摺動操作部材の操作に応じて、自動演奏に対するトリガを発生するトリガ発生手段と、
新たなトリガに応じた発音のための発音チャンネルを、前回のトリガに応じた発音のための発音チャンネルと異ならせる発音チャンネル制御手段と、を含む自動演奏装置。
【請求項１５】
外部からの操作に基づくトリガに応じて、自動演奏のための楽曲データに従った自動演奏をするための自動演奏方法であって、
本体部と接触した状態で摺り動かされる摺動操作部材の摺動速さを計測するステップと、
前記摺動操作部材の摺動方向を検出するステップと、
前記摺動操作部材の摺動速さが、第１の予め定められた閾値を超えた場合であって、かつ、前記摺動操作部材の摺動方向が変化した場合に、自動演奏に対するトリガを発生するステップと、を含む自動演奏方法。
【請求項１６】
前記摺動操作部材の摺動速さが、第２の予め定められた閾値を下回った場合に、最新のトリガによる発音の終了処理を行うステップと、
新たなトリガが発生した場合に、前回のトリガによる発音の終了処理を行うステップと、をさらに含む請求項１５記載の自動演奏方法。
【請求項１７】
外部からの操作に基づくトリガに応じて、自動演奏のための楽曲データに従った自動演奏をするための自動演奏方法であって、
本体部と接触した状態で摺り動かされる摺動操作部材の摺動操作に応じて、自動演奏に対するトリガを発生するステップと、
自動演奏の状態を表す画像、及び、操作ガイドを表す画像、を前記本体部と別個に設けられるテレビジョンモニタに表示するステップと、を含む自動演奏方法。
【請求項１８】
外部からの操作に基づくトリガに応じて、自動演奏のための楽曲データに従った自動演奏をするための自動演奏方法であって、
本体部と接触した状態で摺り動かされる摺動操作部材の操作に応じて、自動演奏に対するトリガを発生するステップと、
新たなトリガに応じた発音のための発音チャンネルを、前回のトリガに応じた発音のための発音チャンネルと異ならせるステップと、を含む自動演奏方法。
【請求項１９】
外部からの操作に基づくトリガに応じて、自動演奏のための楽曲データに従った自動演奏をするための自動演奏プログラムであって、
本体部と接触した状態で摺り動かされる摺動操作部材の摺動速さを計測するステップと、
前記摺動操作部材の摺動方向を検出するステップと、
前記摺動操作部材の摺動速さが、第１の予め定められた閾値を超えた場合であって、かつ、前記摺動操作部材の摺動方向が変化した場合に、自動演奏に対するトリガを発生するステップと、をコンピュータに実行させる自動演奏プログラム。
【請求項２０】
前記摺動操作部材の摺動速さが、第２の予め定められた閾値を下回った場合に、最新のトリガによる発音の終了処理を行うステップと、
新たなトリガが発生した場合に、前回のトリガによる発音の終了処理を行うステップと、をコンピュータに実行させる請求項１９記載の自動演奏プログラム。
【請求項２１】
外部からの操作に基づくトリガに応じて、自動演奏のための楽曲データに従った自動演奏をするための自動演奏プログラムであって、
本体部と接触した状態で摺り動かされる摺動操作部材の摺動操作に応じて、自動演奏に対するトリガを発生するステップと、
自動演奏の状態を表す画像、及び、操作ガイドを表す画像、を前記本体部と別個に設けられるテレビジョンモニタに表示するステップと、をコンピュータに実行させる自動演奏プログラム。
【請求項２２】
外部からの操作に基づくトリガに応じて、自動演奏のための楽曲データに従った自動演奏をするための自動演奏プログラムであって、
本体部と接触した状態で摺り動かされる摺動操作部材の操作に応じて、自動演奏に対するトリガを発生するステップと、
新たなトリガに応じた発音のための発音チャンネルを、前回のトリガに応じた発音のための発音チャンネルと異ならせるステップと、をコンピュータに実行させる自動演奏プログラム。
【請求項２３】
外部からの操作に基づくトリガに応じて、自動演奏のための楽曲データに従った自動演奏を実行する自動演奏装置であって、
本体部と、
前記本体部と接触した状態で摺り動かされる摺動操作部材と、を備え、
前記本体部は、
前記摺動操作部材の摺動操作に応じて、自動演奏に対するトリガを発生するトリガ発生手段と、
自動演奏の状態及び操作ガイドを表す画像信号を生成して、前記本体部と別個に設けられるテレビジョンモニタに供給する画像生成手段と、を含む自動演奏装置。